(57)【要約】【課題】男女兼用で使用でき、取扱い易く、使い勝手に優れ、快適な使用感が得られ、構成簡素で、量産に適し、低廉で、経済的で、装着が簡単で、身体への装着位置の調節が簡単に且つ自在に行え、装着時に涼しく、夏場でも快適に使用でき、交換等が簡単に行え、携帯に便利で、人工肛門が身体の左がわ或いは右がわに設けてある人に対して対応して装着でき、排泄物処理用袋の袋部を確実に覆え、排泄物処理用袋の袋部が身体に直に触れず、外観上の体裁が良く、最適な人工肛門用下着を提供する。【解決手段】紐部１と前垂れ部２とからなる略越中褌状の下着本体を形成し、前垂れ部２には、中心線より右寄り或いは左寄りの所定位置に開口部３を形成し、開口部３は、人工肛門に装着する排泄物処理用袋５の袋部が挿通可能となるよう形成し、前垂れ部２によって排泄物処理用袋５の袋部の殆どの部分を前後方向から覆うよう構成する。【選択図】図２
0003136444.tif 000002
【実用新案登録請求の範囲】
【請求項１】
男性及び女性が利用可能な人工肛門用下着であって、身体の腰部に捲回、装着可能となるように形成される紐部と、この紐部に連設される前垂れ部とからなる略越中褌状の下着本体を形成し、この下着本体の前垂れ部には、その中心線より右寄り或いは左寄りの所定位置に開口部を形成し、この開口部は、人工肛門に装着される排泄物処理用袋の袋部が挿通可能となるように形成され、排泄物処理用袋の袋部の殆どの部分は、身体の前面がわに於いて紐部を介して折り返される前垂れ部によって前後方向から覆われるように構成したことを特徴とする人工肛門用下着。
【請求項２】
男性及び女性が利用可能な人工肛門用下着であって、身体の腰部に捲回、装着可能となるように形成される紐部と、この紐部に連設される前垂れ部とからなる略越中褌状の下着本体を形成し、この下着本体の前垂れ部には、左右方向に切設される比較的長い開口部を形成し、この開口部には適宜連結部を設け、開口部に於ける右がわ部分或いは左がわ部分或いは中央部分は、人工肛門に装着される排泄物処理用袋の袋部が挿通可能となるように形成され、排泄物処理用袋の袋部の殆どの部分は、身体の前面がわに於いて紐部を介して折り返される前垂れ部によって前後方向から覆われるように構成したことを特徴とする人工肛門用下着。
【考案の詳細な説明】
【技術分野】
【０００１】
本考案は、主に、人工肛門保有者（オストメイト）がより快適に使用できるように工夫した男女兼用の人工肛門用下着に関するものである。
【背景技術】
【０００２】
従来、この種の人工肛門用下着としては種々のものが提案されており、例えば、特許文献１のような人工肛門用ブリーフが開示されている。
これは、穿着したブリーフに、人工肛門を跨いで装着されるパウチ基板の環状台部が嵌通する透孔を貫設する一方、上記透孔に臨む下方に上向き開口部を有する袋体を縫着したものである。
【０００３】
【特許文献１】実開平５−９３４２３
【考案の開示】
【考案が解決しようとする課題】
【０００４】
しかしながら、前述の如き人工肛門用ブリーフにあっては、男女兼用で使用し難い難点や、個人差のある人工肛門の配設位置に適合させ難い難点や、袋体がブリーフ内に収まりきれず、外観上の体裁が悪い難点や、構成が比較的複雑となり、手間がかかり、低廉に提供し難い難点等があった。
【課題を解決するための手段】
【０００５】
しかして、前述の如き課題を解消すると共に、装着が誰でも簡単に行え、人工肛門の位置に対応した装着位置の調節が簡単に且つ自在に行え、装着したときに涼しく、夏場でも快適に使用でき、人工肛門用下着の交換等が比較的簡単に行え、携帯にも便利で、外観上の体裁も良く、取扱い易く、使い勝手に優れ、快適な使用感が得られ、人工肛門保有者に最適な人工肛門用下着を提供すべく本考案が案出されたものであり、請求項１記載の人工肛門用下着にあっては、男性及び女性が利用可能な人工肛門用下着であって、身体の腰部に捲回、装着可能となるように形成される紐部１と、この紐部１に連設される前垂れ部２とからなる略越中褌状の下着本体を形成し、この下着本体の前垂れ部２には、その中心線より右寄り或いは左寄りの所定位置に開口部３を形成し、この開口部３は、人工肛門に装着される排泄物処理用袋５の袋部が挿通可能となるように形成され、排泄物処理用袋５の袋部の殆どの部分は、身体の前面がわに於いて紐部１を介して折り返される前垂れ部２によって前後方向から覆われるように構成する手段を採用した。
【０００６】
また、請求項２記載の人工肛門用下着にあっては、男性及び女性が利用可能な人工肛門用下着であって、身体の腰部に捲回、装着可能となるように形成される紐部１と、この紐部１に連設される前垂れ部２とからなる略越中褌状の下着本体を形成し、この下着本体の前垂れ部２には、左右方向に切設される比較的長い開口部３を形成し、この開口部３には適宜連結部４を設け、開口部３に於ける右がわ部分或いは左がわ部分或いは中央部分は、人工肛門に装着される排泄物処理用袋５の袋部が挿通可能となるように形成され、排泄物処理用袋５の袋部の殆どの部分は、身体の前面がわに於いて紐部１を介して折り返される前垂れ部２によって前後方向から覆われるように構成する手段を採用した。
【考案の効果】
【０００７】
従って、本考案の請求項１記載の人工肛門用下着によれば、男女兼用で使用でき、取扱い易く、使い勝手に優れ、快適な使用感が得られ、しかも、構成が簡素で、量産に適し、低廉に提供でき、経済的で、人工肛門保有者に最適な人工肛門用下着となる。
また、紐部１によって、身体への捲回、装着が誰でも簡単に行えるようになる。しかも、身体への装着位置（上下方向での装着位置）を簡単に変更でき、人工肛門の位置に対応した装着位置の調節が簡単に且つ自在に行えるものとなる。
更に、下着本体が略越中褌状となっているので、装着したときに涼しく、夏場でも快適に使用できる。しかも、ズボン等を穿いた状態でも、人工肛門用下着の交換等が比較的簡単に行え、予備としての携帯にも便利で、より使い勝手の優れたものとなる。
特に、開口部３は、前垂れ部２の中心線より右寄り或いは左寄りの所定位置に形成してあるので、人工肛門が身体の左がわに設けてある人や右がわに設けてある人に対して、下着本体を裏表にすることにより、どちらにも対応して装着できるものとなる。
そして、排泄物処理用袋５の袋部の殆どの部分は、前垂れ部２によって前後方向から確実に覆われるようになり、排泄物処理用袋５の袋部が身体に直に触れることがないものとなると共に、外観上の体裁も良いものとなる。
【０００８】
また、請求項２記載の人工肛門用下着によれば、男女兼用で使用でき、取扱い易く、使い勝手に優れ、快適な使用感が得られ、しかも、構成が簡素で、量産に適し、低廉に提供でき、経済的で、人工肛門保有者に最適な人工肛門用下着となる。
また、紐部１によって、身体への捲回、装着が誰でも簡単に行えるようになる。しかも、身体への装着位置（上下方向での装着位置）を簡単に変更でき、人工肛門の位置に対応した装着位置の調節が簡単に且つ自在に行えるものとなる。
更に、下着本体が略越中褌状となっているので、装着したときに涼しく、夏場でも快適に使用できる。しかも、ズボン等を穿いた状態でも、人工肛門用下着の交換等が比較的簡単に行え、予備としての携帯にも便利で、より使い勝手の優れたものとなる。
特に、開口部３は、左右方向に比較的長く切設され、開口部３には適宜連結部４を設け、開口部３に於ける右がわ部分或いは左がわ部分或いは中央部分は、人工肛門に装着される排泄物処理用袋５の袋部が挿通可能となるように形成してあるので、人工肛門が身体の左がわに設けてある人や右がわに設けてある人や中央に設けてある人に対して、開口部３に於ける右がわ部分或いは左がわ部分或いは中央部分を利用することにより、これら全てに対応して装着できるものとなる。しかも、連結部４により開口部３が大きく開いてしまうのを防止できるようになる。
そして、排泄物処理用袋５の袋部の殆どの部分は、前垂れ部２によって前後方向から確実に覆われるようになり、排泄物処理用袋５の袋部が身体に直に触れることがないものとなると共に、外観上の体裁も良いものとなる。
【考案を実施するための最良の形態】
【０００９】
以下、本考案を図示例に基づいて説明すると、次の通りである。
本考案の人工肛門用下着は、例えば、男性及び女性が利用可能なものであって、身体の腰部に捲回、装着可能となるように形成される紐部１と、この紐部１に連設される前垂れ部２とからなる略越中褌状の下着本体を形成し、この下着本体の前垂れ部２には、その中心線より右寄り或いは左寄りの所定位置に開口部３を形成して構成されるものである。
そして、開口部３は、人工肛門に装着される排泄物処理用袋５の袋部が挿通可能となるように形成され、排泄物処理用袋５の袋部の殆どの部分は、身体の前面がわに於いて紐部１を介して折り返される前垂れ部２によって前後方向から覆われるように構成したものである。
すなわち、紐部１は、その両端部分を緊締することにより、身体の腰部への捲回、装着が行えると共に、人工肛門の位置に対応した下着本体の装着位置の調節が自在に行えるよう構成されている。
また、開口部３は、前垂れ部２の中心線より右寄り或いは左寄りの所定位置に形成してあり、これを裏表にして使用することにより、人工肛門が身体の左がわに設けてある人や右がわに設けてある人に対して、どちらにも対応して装着できるように構成されている。
更に、前垂れ部２は、その先端がわが身体の前面がわに於いて紐部１を介して折り返され、排泄物処理用袋５の袋部を前後方向から挟むように覆うことができるよう構成されている。
【００１０】
また、本考案の人工肛門用下着は、下着本体の前垂れ部２には、左右方向に切設される比較的長い開口部３を形成し、この開口部３には適宜連結部４を設け、開口部３に於ける右がわ部分或いは左がわ部分或いは中央部分は、人工肛門に装着される排泄物処理用袋５の袋部が挿通可能となるように構成される。
すなわち、開口部３は、左右方向に比較的長く切設して、開口部３には連結部４を設けてあり、開口部３に於ける右がわ部分或いは左がわ部分或いは中央部分を利用することで、人工肛門が身体の左がわに設けてある人や右がわに設けてある人や中央に設けてある人に対して、これら全てに対応して装着できるよう構成されている。
【実施例】
【００１１】
前記紐部１は、例えば、身体の腰部に捲回させて、その両端部分を緊締することにより、身体の腰部の任意の位置（高さ）に装着できるよう構成されている。ところで、紐部１は、相互に連結分離可能な面着テープ等をその両端部分に固定しておいて、紐部１両端部分の連結、分離がより簡単に行えるように構成してあっても良い。尚、紐部１の具体的構成、形状、寸法、材質等は、図示例のもの等に限定されることなく適宜自由に設定できるものである。
【００１２】
前記前垂れ部２は、例えば、適宜布材等によって略幅広帯状に形成され、その基端部分を紐部１に連設（例えば、縫着、接着、或いはその他の手段を採用できる）するように形成されており、肌触りが良く、通気性や吸湿性等の優れたものが利用される。尚、前垂れ部２の具体的構成、形状、寸法、材質等は、図示例のもの等に限定されることなく適宜自由に設定できるものである。
【００１３】
前記紐部１と前垂れ部２からなる下着本体は、例えば、略越中褌状に形成されており、身体に簡単に装着できると共に、特に通気性に優れた下着となるように構成されている。
【００１４】
前記開口部３は、例えば、前垂れ部２の中心線より右寄り或いは左寄りの所定位置に配されると共に、左右方向に沿って直線的に切設するようにして形成されている。しかも、その開口部３周縁部分は、折返して（或いは、別体の補強片を利用して）縫着（或いは、接着）することにより補強されている。また、開口部３の長さは、人工肛門に装着される排泄物処理用袋５の袋部が挿通可能となるような寸法に形成されている。
尚、下着本体を裏表にして使用することにより、人工肛門が身体の左がわに設けてある人や右がわに設けてある人に対して、どちらにも対応して装着できるようになる。
【００１５】
また、開口部３は、前垂れ部２の所定位置に左右方向に比較的長く直線的に切設するようにして形成したものでも良く、しかも、開口部３の適宜位置（例えば、図４のような中央部分や、中央左右部分や、その他の位置）に適宜連結部４を設け、この開口部３の右がわ部分或いは左がわ部分或いは中央部分に、排泄物処理用袋５の袋部が挿通可能となるように形成されている。すなわち、人工肛門が身体の左がわに設けてある人や右がわに設けてある人や中央部分に設けてある人に対して、これら全てに対応して装着できるように配慮されている。
ところで、連結部４は、例えば、略小帯片状のものを開口部３に固定（例えば、縫着、接着）したものでも良いし、或いは、連結分離可能な面着テープ等を利用して、開口部３の任意の位置に取外し可能に固定できるようにしたものでも良い。
尚、開口部３の具体的構成、形状、寸法、材質、連結部４の具体的構成、形状、寸法、材質、数、配設位置等は、図示例のもの等に限定されることなく適宜自由に設定できるものである。
【００１６】
前記排泄物処理用袋５は、例えば、人工肛門部分に装着される装着部と、この装着部に連設される袋部とからなっており、この袋部は、開口部３に挿通されると共に、前垂れ部２によって前後方向で覆われるようになる。
【００１７】
本考案の人工肛門用下着は、前述の如く構成されており、次に、その使用例について説明すると、例えば、紐部１を身体の腰部の所望高さに捲回させると共に、その両端部分を緊締する。そして、尻の方の前垂れ部２を股間を通して身体の前がわにもってくると共に、紐部１と身体前がわとの間に下方から通す（図２参照）。更に、前垂れ部２を紐部１で前がわに折り返す。このとき、排泄物処理用袋５の袋部の殆どの部分は、開口部３に挿通させて、前垂れ部２で前後方向が覆われるようにする（図３参照）。
【図面の簡単な説明】
【００１８】
【図１】本考案の人工肛門用下着を例示する正面図である。
【図２】本考案の人工肛門用下着の装着途中状態を例示する正面図である。
【図３】本考案の人工肛門用下着の使用状態を例示する側断面図である。
【図４】本考案の他の人工肛門用下着を例示する正面図である。
【符号の説明】
【００１９】
１      紐部
２      前垂れ部
３      開口部
４      連結部
５      排泄物処理用袋
【図１】
0003136444.tif 000003
【図２】
0003136444.tif 000004
【図３】
0003136444.tif 000005
【図４】
0003136444.tif 000006